(57)【要約】【課題】より短い時間で効率よく製造することができ、しかもブロックとセンターベルトとの間が強固に固定されており、ブロックとセンターベルトとの摩擦の発生やセンターベルトの切断などの問題を防止した寿命の長い高負荷伝動ベルトおよびその製造方法を提供する。【解決手段】センターベルト３と、該センターベルト３の長手方向に沿って複数のブロック２を設けた高負荷伝動ベルト１において、センターベルト３はエラストマー４中に心線５をスパイラル状に埋設すると共に上下面の少なくとも片面に補強布６を有し、一方ブロック２は樹脂からなっており、ブロック２を構成する樹脂が前記補強布６の布目に食い込むことによってブロック２とセンターベルト３をアンカー固定してなる。【選択図】図２
2006010067.tif 000002
【特許請求の範囲】
【請求項１】
センターベルトと、該センターベルトの長手方向に沿って複数のブロックを設けた高負荷伝動ベルトにおいて、センターベルトはエラストマー中に心線をスパイラル状に埋設すると共に上下面の少なくとも片面に補強布を有し、一方ブロックは樹脂からなっており、ブロックを構成する樹脂が前記補強布の布目に食い込むことによってブロックとセンターベルトをアンカー固定してなることを特徴とする高負荷伝動ベルト。
【請求項２】
補強布表面の凹凸深さが、補強布厚みの１／５〜４／５の範囲である請求項１記載の高負荷伝動ベルト。
【請求項３】
センターベルトと、該センターベルトの長手方向に沿って複数のブロックを設けた高負荷伝動ベルトの製造方法であって、金型はセンターベルト保持部と、該センターベルト保持部に保持されたセンターベルトの所定位置に成形されたブロックが嵌合されるように配置したブロックを成形するためのキャビティを有しており、センターベルトを前記センターベルト保持部にセットした状態で金型内のキャビティに樹脂を射出することによって、上下ビーム部と左右の摺動部を有するブロックを成形すると同時にセンターベルトにブロックを取り付ける高負荷伝動ベルトの製造方法において、センターベルトの上下面の少なくとも片面には補強布を被覆しており、ブロックの成形する樹脂を金型内に射出する際に補強布の布目に流れ込ませてブロックとセンターベルトをアンカー固定してなることを特徴とする高負荷伝動ベルトの製造方法。
【請求項４】
補強布表面の凹凸深さが、補強布厚みの１／５〜４／５範囲である請求項３記載の高負荷伝動ベルトの製造方法。
【発明の詳細な説明】
【技術分野】
【０００１】
本発明は、センターベルトの長手方向に沿って複数のブロックを固定した高負荷伝動ベルトおよびその製造方法に係り、より短い時間で効率よく製造することができ、しかもブロックとセンターベルトとの間が強固に固定されており、ブロックとセンターベルトとの摩擦の発生やセンターベルトの切断などの問題を防止した高負荷伝動ベルトおよびその製造方法に関する。
【背景技術】
【０００２】
ベルト式無段変速装置に使用するベルトは、プーリのＶ溝幅を変えることによってプーリに巻きかかる有効径を変化させ変速比を調節する様な変速プーリに巻き掛けて使用するものであり、プーリからの側圧が大きくなるのでベルトは大きな側圧に耐えるものでなくてはならない。また、無段変速の用途以外にも通常のゴムベルトでは寿命が短くなりすぎるような高負荷伝動の用途には特別に高負荷に耐えうるようなベルトを用いる必要がある。
【０００３】
そのようなベルトとして使用されるものの中に、センターベルトにブロックを固定してベルト幅方向の強度を高めた引張伝動式の高負荷伝動ベルトがあり、具体的な構成としては、心線をゴムなどのエラストマー中に埋設したセンターベルトにボルトやリベットなどの止着材を用いてセンターベルトに使用しているエラストマーよりも比較的硬質のエラストマーからなるブロックを止着固定したものがある。
【０００４】
このような引張伝動式の高負荷伝動ベルトに用いられるブロックの要求品質としては、上記のように摩擦伝動において高負荷の伝動を目的としているために、曲げ疲労性、耐摩耗性、耐熱性、剛性、耐衝撃性等の性質をバランス良く保有する必要がある。さらにプーリを摩耗させないようにすることも大切な要素である。
【０００５】
これらの要求を満たす高負荷伝動ベルトとして、例えば、特許文献１に開示されているようなものがある。このベルトは、ブロックとプーリの接触する部分が、フェノール系樹脂成分にゴム成分が添加された樹脂成形材料によって、金属等によって形成されているインサート材を被覆した２重構造のブロックを用いたものである。
【０００６】
また、特許文献１には、フェノール系樹脂にアクリロニトリル−ブタジエン系ゴムをマトリックスとして炭素繊維及びアラミド繊維の２繊維を含む繊維質充填率２５〜６０重量部を配合させて、炭素繊維はオニオン構造を有し、結晶層厚が２５〜２００μｍであるフェノール系樹脂を用いたブロックが用いられた高負荷伝動ベルトが開示されている。
【０００７】
また、フェノール樹脂は熱硬化性樹脂であるために成形サイクルが長くなってしまうことやリサイクル性に劣るといった問題もある。
【０００８】
そこで、特許文献２には金型内にセンターベルトを設置した状態で、熱可塑性樹脂を射出成形することによってブロックを成形するといったベルトの製造方法が開示されている。
【０００９】
【特許文献１】特公平７−１１０９００号公報
【特許文献２】特開２００３−２０２０５４号公報
【発明の開示】
【発明が解決しようとする課題】
【００１０】
ところが、特許文献１のようなブロックを装着したベルトの製造はセンターベルトにブロックを一つ一つ嵌め込んでやるという作業をおこなわなければならず、製造には非常に手間がかかってしまう。それだけ製造コストの面では不利であり、価格の高いベルトとなってしまうといった問題があった。
【００１１】
また、特許文献２ではセンターベルトを装着した金型に樹脂を射出してブロックを成形することにより、センターベルトに別途成形したブロックを装着するという行程を省くことができるので、製造コストを大幅に下げることができ、熱可塑性樹脂なのでリサイクル性にも優れている。
【００１２】
しかし、キャビティ内に射出成形をしてこのようなロ字形状のブロックを成形した場合、
射出成形された樹脂はセンターベルトとの間で接着することはなく、ベルトを走行させその部分に力が加わることにより簡単に剥がれが生じる。そうするとブロックが微小振動を起こしてブロックとセンターベルトとの間で摩擦を生じて熱を発生したり、センターベルトの切断に至ったりするなどの問題がある。
【００１３】
そこで本発明はこのようなブロックをセンターベルトに装着したタイプのベルトを製造するにあたり、ブロックとセンターベルトとの固定力を強固なものにしてブロックとセンターベルトとの摩擦の発生やセンターベルトの切断などの問題を防止した高負荷伝動ベルトおよびその製造方法を提供することを課題とする。
【課題を解決するための手段】
【００１４】
上記のような課題を解決するために本発明の請求項１は、センターベルトと、該センターベルトの長手方向に沿って複数のブロックを設けた高負荷伝動ベルトにおいて、センターベルトはエラストマー中に心線をスパイラル状に埋設すると共に上下面の少なくとも片面に補強布を有し、一方ブロックは樹脂からなっており、ブロックを構成する樹脂が前記補強布の布目に食い込むことによってブロックとセンターベルトをアンカー固定してなることを特徴とする。
【００１５】
請求項２では、補強布表面の凹凸深さが、補強布厚みの１／５〜４／５の範囲である請求項１記載の高負荷伝動ベルトとしている。
【００１６】
請求項３では、センターベルトと、該センターベルトの長手方向に沿って複数のブロックを設けた高負荷伝動ベルトの製造方法であって、金型はセンターベルト保持部と、該センターベルト保持部に保持されたセンターベルトの所定位置に成形されたブロックが嵌合されるように配置したブロックを成形するためのキャビティを有しており、センターベルトを前記センターベルト保持部にセットした状態で金型内のキャビティに樹脂を射出することによって、上下ビーム部と左右の摺動部を有するブロックを成形すると同時にセンターベルトにブロックを取り付ける高負荷伝動ベルトの製造方法において、センターベルトの上下面の少なくとも片面には補強布を被覆しており、ブロックの成形する樹脂を金型内に射出する際に補強布の布目に流れ込ませてブロックとセンターベルトをアンカー固定してなることを特徴とする。
【００１７】
請求項４では、補強布表面の凹凸深さが、補強布厚みの１／５〜４／５の範囲である請求項３記載の高負荷伝動ベルトの製造方法としている。
【発明の効果】
【００１８】
ブロックを構成する樹脂をセンターベルトの表面に設けた補強布の目に流れ込ませてブロックとセンターベルトをアンカー固定することによって、ベルト走行中のブロックの振動やセンターベルトに対するズレの発生は防止され、摩擦による熱の発生やセンターベルトの切断といった問題を低減することができる。
【発明を実施するための最良の形態】
【００１９】
図１は本発明の高負荷伝動ベルトの斜視図であり、図２は側面図である。また図３は本発明の高負荷伝動ベルトの製造方法に用いる金型の例を示す斜視図であり、図４は金型を開いたところから見た正面図である。図５は金型を閉じた状態で見た側断面図、図６は図５における別の例を示す側断面図である。
【００２０】
本発明の高負荷伝動ベルトとは、例えば図１、図２に示すようなものであり、高負荷伝動ベルト１はエラストマー４内に心線５をスパイラル状に埋設すると共に上下面の少なくとも片面に補強布６を積層一体化してなるセンターベルト３と、このセンターベルト３の上面に所定ピッチで形成された凹部６に嵌合し、係止固定されている複数のブロック２とから構成されている。このブロック２の両側面２ａ、２ｂは、プーリのＶ溝と係合する傾斜のついた面となっており、駆動されたプーリから動力を受け取って、係止固定されているセンターベルト３を引張り、駆動側プーリの動力を従動側プーリに伝動している。
【００２１】
ブロック２は、図１に示すように、上ビーム部１１および下ビーム部１２と、両側部１３、１４が一体的にセンターベルト３の周囲に形成されている。ブロック２の中央にはセンターベルト３を嵌めこむ開口部１５を有し、開口部１５内の上面および下面にはセンターベルト３の上面に設けた凹条部７と下面に設けた凹条部８に係合する凸条部１６、１７が形成されている。
【００２２】
このようにブロックにセンターベルトを嵌め込んで形成するような高負荷伝動ベルトの製造するにあたり、図３および図４に示すように一対の金型３０、３１を用い、その金型３０、３１にはセンターベルト保持部３２を有するとともに、一対の金型３０、３１が合さった状態でブロック２を成形するためのキャビティ３３を形成するようになっており、センターベルト３を前記センターベルト保持部３２にセットした状態で金型３０、３１内のキャビティ３３に樹脂を射出する。センターベルト３には上下面のブロック２と嵌合する凹条部７、８の間に金型のセンターベルト保持部３２と嵌合する凹部９、１０を有しており、ブロック２を射出成形で成形する際にセンターベルト３の位置決めを行うようになっている。
【００２３】
キャビティ３３はセンターベルト保持部３２にセンターベルト３を嵌め込んだ状態でセンターベルト３を取り囲むように配置されており、キャビティ３３でブロック２を成形するとセンターベルト３にブロック２が凹条部７、８で嵌合された状態で成形されるようになっている。
【００２４】
以上のような工程を経て、ブロック２を成形すると同時にセンターベルト３にブロック２を取り付けることができる。
【００２５】
そして、本発明においてはブロックを射出成形する際に溶融した樹脂がセンターベルト３表面の補強布６の布目に流れ込んでそのまま冷却硬化することによって、ブロック２とセンターベルト３は流れ込んだ樹脂によって物理的にアンカー固定されるので、極めて強固に固定することができる。
【００２６】
ブロック２とセンターベルト３のこていを強固にすることによって、今までベルトが走行する際に起こっていたブロックの微小振動をなくすことができ、それにより発生していた摩擦熱やセンターベルトの切断といった問題を防止することができ、より長寿妙な高負荷伝動ベルトとすることができる。
【００２７】
本発明で用いることができる補強布６としてはアラミド織布、ポリアミド織布、ポリエステル織布などを挙げることができ、ブロックを成形する際に樹脂をその布目に流れ込ませてブロック２とセンターベルト３をアンカー固定するために、補強布表面の凹凸深さが、補強布厚みの１／５〜４／５の範囲の織布を用いることが好ましい。補強布表面の凹凸深さが補強布厚みの１／５未満であると樹脂が十分に流れ込むことができず固定力が小さくなってしまう、逆に補強布厚みの４／５を超えるような織布の場合は織布自身の強度が低くなってしまうので好ましくない。
【００２８】
また、従来はこのような高負荷伝動ベルトの製造においてはセンターベルト３を製造し、別途ブロック２を製造した上でセンターベルト３にブロック２を一つ一つ嵌め込んでいく作業を行っており、特にブロック２をセンターベルト３に嵌め込んでいく作業に多くに時間をとられていたが、上記のような製造方法を採ることによって、ブロック２をセンターベルト３の所定位置に成形しているので、ブロック２を成形し終わった時点でブロック２はセンターベルト３に嵌め込まれた状態となるので、改めてブロック２をセンターベルト３に嵌め込むといった作業が不要になるので、製造に要する時間を大幅に短縮することができるものである。
【００２９】
また、図５に示すように、金型３０と金型３１とはブロックの上ビーム部１１及び下ビーム部１２の中央にパーティングラインができるように分割面３６を位置させている。このようにすることによってベルトが走行する際にプーリと接触するブロックの側面２ａ、２ｂを平滑な面に仕上げることができるので、ベルト走行初期の騒音や摩耗の問題を解消することができる。
【００３０】
分割面３６の位置は図５ではセンターベルト３の中央付近に位置させているが、ブロックの側面２ａ、２ｂを平滑に仕上げるということからすれば、図６に示すようにセンターベルト３の端に位置させることも可能である。そうすることによって金型３１にセンターベルト３を挿入した状態でセンターベルト３が金型３１から突出することがないので、金型３０をあわせる際に突出したセンターベルト３が折れ曲がったり金型に引っかかって損傷したりするといったことがないので好ましい形態であるということができる。
【００３１】
図４に示す例では、金型３０、３１に設けられたキャビティ３３は５箇所であり、一度に成形できるブロックの数は５個である。よって５個のブロックを成形した後に金型から一度ベルトを取り外してブロック５個分を図４中の矢印方向に回転させて次の位置にブロック２を成形できるようにして再度金型３０、３１に装着し、次の位置に５個のブロック２を成形する。このような操作を繰り返してベルト全周のブロック２全部を成形してベルトが完成する。
【００３２】
ブロック２を成形するキャビティ３３以外のところではセンターベルトは固定する必要がなく、金型を閉じる時のベルトの逃げ場所としてベルトの概略形状よりやや広い通路３４が形成されている。
【００３３】
ブロックの成形が完了したら金型３０、３１を開いてブロック２を金型から脱型する。脱型には金型から突出するイジェクトピンを用いて行うのが便利であり、例えば図７に示すブロックのようにブロック２の傾斜した側面２ａ、２ｂの上下位置に垂直面部２ｃを形成してイジェクトピンを当接させる箇所としてもよい。
【００３４】
このようなセンターベルト３にブロック２を取り付けた高負荷伝動ベルト１においてブロック２のピッチ（センターベルト３に取り付けるブロック２同士の間隔）は騒音の問題などに関与するものであり、ピッチが大きすぎると騒音が増すことになる。しかし、一方でブロック２の成形をする際のブロック間に存在する金型の厚みが薄くなりすぎると射出圧力によって金型が変形しブロック２の変形にもつながるので好ましくない。そこで、ブロック２とブロック２間の金型の厚みはブロック２の厚みの１／６〜３／２とする。ただし図２に示すように高負荷伝動ベルト１の全ブロックの内、一度に成形する数が数個であるなど一部の場合はより好ましくは１／２〜３／２とする。
【００３５】
ブロック２とブロック２間の金型の厚みがブロック厚みの３／２をこえると、ブロックのピッチが大きくなりすぎてベルトの強度や騒音の問題が発生し、１／２未満では射出圧力によって金型の変形が発生してしまう。
【００３６】
以上の説明ではブロック２は一度に５個を成形し、順送り的に全数を成形して高負荷伝動ベルト１を完成させているが、ブロック２の全数と同じ数のキャビティを有する金型を用いて一度に全部を成形しても構わない。
【００３７】
金型に全ブロック数と同じだけのキャビティ３３を設け、ブロック２の全数を一度に成形する場合には、各キャビティ３３が全部隣り合って位置しており、各キャビティ３３内の圧力が略一定になるのでブロック２間の金型の厚みは小さくても金型の変形は起こりにくくなる。そのためブロック厚みの１／６〜１／２の範囲で十分にブロックを成形することが可能になる。
【００３８】
本発明に適用できる高負荷伝動ベルトは図１で示した例に限られることはなく、様々な形態を採ることができる。図８に示すベルトは図１に示すベルトとほぼ同じ形状を有しているが、センターベルト３の幅方向の中央にブロックを取り付けるのと同じピッチで貫通孔１８を有しており、ブロック２が成形される際にその貫通孔１８を通して樹脂が連結１９されている。
【００３９】
このようにセンターベルト３に設けた貫通孔１８を通して上下でブロックを形成する樹脂が連結１９されていることによって、ブロック２とセンターベルト３との固定力がより強固なものになる。ベルト１が長期にわたって走行を続けるとブロック２とセンターベルト３とのがたつきが発生し、それが原因でベルト１の騒音が大きくなったり、ブロック２の破損やセンターベルト３の切断したりといった故障につながることがあるが、ブロック２とセンターベルト３の固定力を高めることによってベルト１の寿命を長期化することができるものである。
【００４０】
図８の例では一つのブロック２につきセンターベルト３に設けている貫通孔１８の数は一つであるが、一つであることに限定されるものでなく、二つや三つといった複数の孔を設けることも可能である。
【００４１】
このブロック２は合成樹脂素材のみからなっているものに限られず、センターベルト３にアルミニウム合金などの金属などからなるインサート材を装着してブロックを成形することも可能である。
【００４２】
ブロックの樹脂として用いることができるのは、ポリアミド樹脂、ポリアミドイミド（ＰＡＩ）樹脂、ポリフェニレンスルフィド（ＰＰＳ）樹脂、ポリブチレンテレフタレート（ＰＢＴ）樹脂、ポリイミド（ＰＩ）樹脂、ポリエーテルスルフォン（ＰＥＳ）樹脂、ポリエーテルエーテルケトン（ＰＥＥＫ）樹脂等の合成樹脂が用いられるが、中でも低摩擦係数で耐摩耗性に優れ、剛性があるとともに曲げに対しても弾力性を有しており、簡単に破損してしまうことのない樹脂がよく、ポリアミド樹脂、なかでもナイロン４６が好ましいといえる。
【００４３】
本発明では前述のようにブロックを形成する合成樹脂中に繊維状の補強材やウィスカ状の補強材を配合することは可能であり、繊維状の補強材は１５〜４０重量％の範囲で配合する。１５重量％未満であると補強効果が少なくブロックの耐磨耗性が十分でないなどの問題があり、４０重量％を超えると樹脂への配合が困難になったり射出成形が困難になったりするなどの問題があるので好ましくない。
【００４４】
合成樹脂に配合する繊維状補強材としては、アラミド繊維、炭素繊維、ガラス繊維、ポリアミド繊維、ポリエステル繊維などを挙げることができる。その中でも前記のブロックを構成する樹脂で好ましい例であるナイロン４６と炭素繊維を組み合わせて用いることによって炭素繊維がナイロン４６の吸水性の欠点を改善し、剛性を大幅に向上させることができて、且つナイロン４６の有する耐摩耗性、耐衝撃性、耐疲労性を生かすことができるものである。炭素繊維の中でも、ＰＡＮ系炭素繊維を用いることが好ましい。また、炭素繊維と組み合わせてアラミド繊維を配合することによってブロックの靭性が向上し、耐摩耗性や、耐衝撃性を一層向上させることができる。
【００４５】
ここで、使用されるＰＡＮ系炭素繊維は、熱可塑性樹脂と相性が良く、用いる炭素繊維の長さは１〜５ｍｍのものが好ましい。１ｍｍ未満であると、ブロックの補強が十分になされず、また、５ｍｍを越えると、樹脂との混練が困難になること、また、混練時に折れて短くなってしまうので好ましくない。
【００４６】
また、前記繊維状補強材として上記の有機繊維のほかにも酸化亜鉛ウィスカ、チタン酸カリウムウィスカ、ホウ酸アルミニウムウィスカなどの無機繊維を配合してもよい。これらのウィスカを配合することによって成形時のそりや成形収縮の異方性が改良される。さらに、ブロック２の靭性、曲げ剛性等の強度についての異方性も低減することができ、かつ、摩擦係数が安定するため、耐摩耗性が向上する。
【００４７】
また、酸化亜鉛ウィスカは、高比重、高剛性であるため、プーリとの接触時の振動を低減でき、ノイズの発生を小さくすることができる。なお、この酸化亜鉛ウィスカの配合量が少ない場合は、添加した効果が発現せず、多すぎると、混練できず、成形することが困難となる。
【００４８】
このような材料構成とすることによって、プーリと接する際に受ける側圧にも十分に耐えうる剛性、靭性等の強度を有するとともに、耐摩耗性に優れ、更には、摩擦時に発生する熱に対しても強いブロックとすることが可能となり、プーリから受ける動力を効率よくセンターベルト３に引張力として伝えることができ、引張伝動式の高負荷伝動ベルトを構成することができる。
【００４９】
なお、これらの他に、二硫化モリブデン、グラファイト、フッ素系樹脂から選ばれてなる少なくとも一つを混入することによってもブロック２の潤滑性を向上させることができる。フッ素系樹脂としては、ポリ４フッ化エチレン（ＰＴＦＥ）、ポリフッ化エチレンプロピレンエーテル（ＰＦＰＥ）、４フッ化エチレン６フッ化プロピレン共重合体（ＰＦＥＰ）、ポリフッ化アルコキシエチレン（ＰＦＡ）等が挙げられる。
【００５０】
センターベルト３のエラストマー４として使用されるものは、クロロプレンゴム、天然ゴム、ニトリルゴム、スチレン−ブタジエンゴム、水素化ニトリルゴムなどの単一材またはこれらを適宜ブレンドしたゴムあるいはポリウレタンゴム等が挙げられる。そして、心線５としてはポリエステル繊維、ポリアミド繊維、アラミド繊維、ガラス繊維、スチールワイヤ等から選ばれたロープが用いられる。補強布６は前記のようにアラミド織布、ポリアミド織布、ポリエステル織布などを挙げることができる。
【００５１】
なお、本発明にかかる高負荷伝動ベルトに用いられるブロックには、本実施形態に示した形態に限定されるものではない。
【実施例】
【００５２】
実施例としては、図１に示すよう高負荷伝動ベルトであり、ブロックに用いた樹脂材料としてはカーボン繊維を３０質量％含有した４６ナイロンであり、ブロックのピッチは４ｍｍと５ｍｍの混在ピッチである。そしてセンターベルトの上下面にはアラミド繊維からなり表面の凹凸深さが、布厚さの１／２の帆布を積層一体化しており、ブロック射出成形時に樹脂が布目に流れ込んでアンカー固定されているベルトとした。このベルトにおいてブロックの曲げ破壊荷重を測定するとともに走行試験を行った。走行試験の試験条件を表１に示し、夫々の試験結果を表２に示す。
【００５３】
比較例としてはセンターベルトの上下面に積層する帆布として表面にゴムを被覆しており、ブロック射出成形時に樹脂が布目に流れ込まないようにして成形したベルトとした以外は実施例１と全く同様にしてベルトを作成した。このベルトにおいてブロックの曲げ破壊荷重を測定するとともに走行試験を行った。走行試験の試験条件を表１に示し、夫々の試験結果を表２に示す。
【００５４】
【表１】
2006010067.tif 000003
【００５５】
【表２】
2006010067.tif 000004
【００５６】
表２の結果からわかるようにブロックを構成する樹脂をセンターベルト表面の帆布の布目に食い込ませたベルトとすることによってブロックの強度を向上し、更にベルト走行中の微小振動といった挙動を抑えることができ、ベルトの寿命も延ばすことができることが確認できた。
【産業上の利用可能性】
【００５７】
自動車や自動二輪車、農業機械の無段変速装置など、プーリの有効径が変化し大きなトルクを伝達するようなベルトの製造に適用することができる。
【図面の簡単な説明】
【００５８】
【図１】高負荷伝動ベルトの斜視図である。
【図２】高負荷伝動ベルトの側断面図である。
【図３】本発明の製造方法で用いられる製造装置の概要斜視図である。
【図４】金型を開いたところから見た正面図である。
【図５】金型を閉じた状態で見た側断面図である。
【図６】図７における別の例を示す側断面図である。
【図７】ブロックの別の例を示す正面図である。
【図８】高負荷伝動ベルトの別の例を示す斜視図である。
【符号の説明】
【００５９】
１    高負荷伝動ベルト
２    ブロック
３    センターベルト
４    エラストマー
５    心線
６    補強布
７    凹条部
８    凹条部
９    凹部
１０  凹部
１１  上ビーム部
１２  下ビーム部
３０  金型
３１  金型
３２  センターベルト保持部
３３  キャビティ
３４  通路
３５  ゲート
３６  分割面
【図１】
2006010067.tif 000005
【図２】
2006010067.tif 000006
【図３】
2006010067.tif 000007
【図４】
2006010067.tif 000008
【図５】
2006010067.tif 000009
【図６】
2006010067.tif 000010
【図７】
2006010067.tif 000011
【図８】
2006010067.tif 000012